(57)【要約】【課題】周期的に変化する要素を含む裁断線を規定する裁断線情報を容易に生成する。【解決手段】受信した裁断線情報に従って装入された媒体４８０を裁断する裁断装置１４０を含む裁断システム１０であって、裁断線情報に対して修飾成分を付加した実行裁断線情報を生成する実行裁断線情報生成部１０１を備え、裁断装置１４０が実行裁断線情報に従って裁断を実行する。実行裁断線情報生成部１０１は、裁断装置１４０に含まれていても、裁断装置１４０に対して裁断線情報を供給する情報処理装置１００に含まれていてもよい。また、実行裁断線情報生成部１０１は、情報処理装置１００上で実行されるソフトウェアプログラムであってもよい。【選択図】図５
2007160463.tif 000002
【特許請求の範囲】
【請求項１】
受信した裁断線情報に従って装入された媒体を裁断する裁断装置を含む裁断システムであって、
当初入力された入力裁断線情報に対して修飾成分を付加した実行裁断線情報を生成する実行裁断線情報生成部を備え、前記裁断装置が前記実行裁断線情報に従って裁断を実行する裁断システム。
【請求項２】
前記実行裁断線情報生成部が、前記裁断装置に含まれている請求項１に記載の裁断システム。
【請求項３】
前記実行裁断線情報生成部が、前記裁断装置に対して裁断線情報を供給する情報処理装置に含まれる請求項１に記載の裁断システム。
【請求項４】
前記実行裁断線情報生成部が、前記裁断装置に対して裁断線情報を供給する情報処理装置上で実行されるソフトウェアプログラムである請求項１に記載の裁断システム。
【請求項５】
前記修飾成分が、前記入力裁断線情報で規定される裁断線に対する変移が周期的に変化する成分である請求項１に記載の裁断システム。
【請求項６】
前記修飾成分が、前記裁断線情報に特定の裁断パターンが表れたときに付加される特定の裁断パターンを付加する成分である請求項１に記載の裁断システム。
【請求項７】
前記修飾成分が、前記裁断線情報に鋭く屈曲するパターンが表れたときに、前記屈曲の角を面取りする裁断パターンに変換する成分である請求項６に記載の裁断システム。
【請求項８】
前記修飾成分が、前記媒体に対する裁断深さが周期的に変化する成分である請求項１に記載の裁断システム。
【発明の詳細な説明】
【技術分野】
【０００１】
本発明は、裁断システムに関する。より詳細には、受信した裁断線情報に従って装入された媒体を裁断する裁断装置を含む裁断システムに関する。
【背景技術】
【０００２】
紙、布、樹脂フィルム等のシート状の被裁断媒体から、様々な形状の裁断線情報に従って切片を切り出しあるいは切り込みをいれるカッティング・マシンあるいはカッティングプロッタ等と呼ばれる裁断装置がある。裁断装置は、切刃の向きおよび被裁断媒体に対する高さを変化させることができるカッタヘッドを備え、裁断動作においては、切刃先端を被裁断媒体に貫入させた状態でカッタヘッドを被裁断媒体に対して相対移動させて被裁断媒体を裁断する。
【０００３】
特許文献１には、ひとつの裁断装置が開示されている。この文献に記載された裁断装置は、Ｘ軸方向に走行するテーブルにより搬送される布地に対して、Ｘ軸と直交するＹ軸方向に往復移動する主軸頭を備えている。また、テーブルによるＸ方向への搬送と主軸頭のＹ方向の往復移動を組み合わせて、主軸頭により布地全体を走査することができる。従って、主軸頭にナイフ（カッタ）を装着して布地上で適切な形状を描かせることにより、布地から所望の形状の裁断片を切り出すことができる。
【０００４】
また、特許文献２には、やはりシート状の被裁断媒体から所望の裁断片を切り出すことができる作画・カッティング両用プロッタが記載されている。この作画・カッティング両用プロッタも、往復移動する作画ヘッドと、作画ヘッドの往復移動方向に直交する方向に被裁断媒体を搬送するローラ群とを備え、被裁断媒体の全面に対して作画ヘッドを走査させることができる。従って、作画ヘッドに筆記用具を装着した場合は被裁断媒体上に所望の図形を記録することができ、作画ヘッドに刃物を装着した場合は被裁断媒体から所望の形状の裁断片を切り出すことができる。また、この特許文献２では、作画・カッティング両用プロッタをホストコンピュータに接続して裁断システムを形成することについても言及されている。更に、下記特許文献３にはカッティングプロッタの簡略化された構造が、特許文献４にはハーフカット用シートに対してハーフカットおよびフルカットをいずれも実行できるカッティングプロッタの構造が、特許文献５にはハーフカット用紙の供給から不要シートの除去までを自動的に実施する切り抜き文字作成装置の構造が、特許文献６にはシートカートリッジを備えたカッティングプロッタの構造が、特許文献７には切取マージンを生成する画像処理装置の構造がそれぞれ記載されている。
【特許文献１】特公平７−９０５１１号公報
【特許文献２】特開２００１−２２５２９７号公報
【特許文献３】特開２００２−１２７０７６号公報
【特許文献４】特開２００２−１２７０８８号公報
【特許文献５】特開２００２−１２７０８９号公報
【特許文献６】特開２００２−１２７０９０号公報
【特許文献７】特開２００５−０１４５９４号公報
【発明の開示】
【発明が解決しようとする課題】
【０００５】
裁断装置を用いて被裁断媒体を裁断するときには、裁断装置に裁断線情報を提供することにより切り出す切片の形状を指示する。また、裁断装置は、与えられた裁断線情報により規定された裁断線に沿って媒体を裁断する。従って、例えば、鎖線状の裁断線を表す裁断線情報が与えられた場合は、いわゆるミシン目を形成することができる。また、細かい周期で反復される屈曲を含む裁断線を表す裁断線情報により、波線あるいはジグザグ状のピンキングラインを描くように媒体を裁断させることもできる。
【０００６】
しかしながら、波線あるいはピンキングライン等（以下、「波線等」と記載する）で描かれた裁断線を規定する裁断線情報を作成することは、実際にはかなり面倒な作業になる。例えば情報処理装置上の画像作成プログラムを使用して裁断線情報を作成する場合、短い間隔で非常に多数の変曲点あるいは頂点を指定しなければならない。
【０００７】
また、ひとつの媒体に対して、周期あるいは波高の異なる波線等の要素を含む複数の裁断線を適用して、その効果を確認したい場合がある。このような場合は、異なる周期、波高毎に個別に裁断線情報を作成しなければならず、必要な作業は膨大なものになる。
【課題を解決するための手段】
【０００８】
そこで、上記課題を解決するために、本発明の第１の形態として、受信した裁断線情報に従って装入された媒体を裁断する裁断装置を含む裁断システムであって、当初入力された入力裁断線情報に対して修飾成分を付加した実行裁断線情報を生成する実行裁断線情報生成部を備え、裁断装置が実行裁断線情報に従って裁断を実行する裁断システムが提供される。これにより、当初入力された入力裁断線情報に修飾成分を付加して、波線等により形成された実行裁断線情報を生成し、実行裁断線情報に従って裁断を実行できる。従って、入力裁断線情報は比較的単純な裁断形状を規定するものにできるので、裁断線情報の作成が容易になる。また、付加する修飾成分だけを変更することにより、ひとつの入力裁断線情報に対して複数の実行裁断線情報を容易に作成できる。
【０００９】
また、ひとつの実施形態によると、上記裁断システムにおいて、実行裁断線情報生成部は裁断装置に含まれていてもよい。これにより、入力裁断線情報の作成には任意のツールを使用できるので、ユーザのツール選択の幅が拡がる。
【００１０】
また、他の実施形態によると、上記裁断システムにおいて、実行裁断線情報生成部は、裁断装置に対して裁断線情報を供給する情報処理装置に含まれていてもよい。更に、他の実施形態によると、上記裁断システムにおいて、実行裁断線情報生成部は、裁断装置に対して裁断線情報を供給する情報処理装置上で実行されるソフトウェアプログラムであってもよい。これにより、既存の裁断装置を用いても、この裁断システムを形成することができる。
【００１１】
また、他の実施形態によると、上記裁断システムにおいて、修飾成分は、入力裁断線情報で規定される裁断線に対する変移が周期的に変化する成分である。これにより、波線等により描かれた裁断線を含む裁断線情報を容易に作成できる。
【００１２】
また、他の実施形態によると、上記裁断システムにおいて、修飾成分は、裁断線情報に特定の裁断パターンが表れたときに付加される特定の裁断パターンを付加する成分である。更に、他の実施形態によると、上記裁断システムにおいて、修飾成分は、裁断線情報に鋭く屈曲するパターンが表れたときに、屈曲の角を面取りする裁断パターンに変換する成分である。これにより、例えば、ユーザが任意に作成した裁断線情報を、裁断線として適切な形状に整形させることができ、裁断後に美麗な成果物を得ることができる。
【００１３】
更に、他の実施形態によると、上記裁断システムにおいて、修飾成分は、媒体に対する裁断深さが周期的に変化する成分である。これにより、裁断線が短い周期で断続するミシン目も容易に作成できる。また、裁断線上の裁断区間の割合を減らすことにより、折線等を形成することもできる。
【００１４】
なお、上記の発明の概要は、本発明の必要な特徴の全てを列挙したものではない。これらの特徴群のサブコンビネーションもまた発明となり得る。
【発明を実施するための最良の形態】
【００１５】
以下、発明の実施の形態を通じて本発明を説明するが、以下の実施形態は特許請求の範囲にかかる発明を限定するものではない。また実施形態の中で説明されている特徴の組み合わせの全てが発明の解決手段に必須であるとは限らない。
【００１６】
図１は裁断システム１０の形成例を示す図である。同図に示すように、この裁断システム１０は、ディスプレイ装置１１０および裁断装置１４０を接続された情報処理装置１００を中心に形成されている。情報処理装置１００は、入力装置としてのキーボード１０２およびマウス１０４並びにソフトウェアのインストール等に利用できるディスクドライブ１０６を備えている。更に、この情報処理装置１００は、図示されていない通信回線にも接続されており、通信回線を介してデータおよびプログラムを受け入れることもできる。なお、図１では、裁断装置１４０に媒体４８０が装入されている様子も併せて描かれている。
【００１７】
上記のような裁断システム１０では、情報処理装置１００およびその入力装置を利用して入力された入力裁断線情報に基づいて、裁断装置１４０に、媒体４８０を裁断させることができる。また、情報処理装置１００では、適切な画像処理プログラムを実行することにより、入力裁断線情報を加工することもできる。
【００１８】
また更に、情報処理装置１００には、イメージスキャナ装置１２０およびプリンタ装置１３０も接続されており、これらの機能を利用することもできる。即ち、被裁断媒体を含む種々の媒体から画像を読み取ってディスプレイ装置１１０に表示させ、あるいはそれをプリンタ装置１３０でプリントすることにより複製媒体を作成することもできる。
【００１９】
図２は、上記の裁断システム１０において裁断装置１４０に装入されて裁断の対象となる媒体４８０の一例を示す図である。同図に示すように、この媒体４８０には、略中央に配置された単一の中心画像２１２と、その周辺に配置された複数の周辺画像２１４とが記録されている。
【００２０】
図３は、上記のような媒体４８０に、入力裁断線情報により規定された入力裁断線２１６を重畳して示す図である。同図に示すように、この入力裁断線２１６は、中心画像２１２の側方および上方を包囲し、両端が離れた開曲線である。なお、入力裁断線２１６の作成方法としては、情報処理装置１００上で実行されている画像作成プログラムを使用して作成する方法の他、記録媒体あるいは通信回線等を利用して外部から入力する方法、イメージスキャナ装置１２０を用いて当初より画像として入力する方法等があるが、これらに限定されるわけではない。
【００２１】
図４は、媒体４８０を、入力裁断線２１６で示された裁断線に従って裁断した場合の成果物である簡易ＰＯＰ３０の完成した状態を示す図である。同図に示すように、入力裁断線２１６に従って裁断した場合、媒体４８０にはいわば切り込みが入っている状態になる。このような切り込みの入った媒体４８０を、入力裁断線２１６の両端を結ぶ直線を折線２０２として折り曲げることにより、周辺画像２１４の中央で中心画像２１２が立ち上がった簡易ＰＯＰ３０となる。
【００２２】
図５は、上記のような裁断動作を実行できる裁断システム１０における実行裁断線情報生成部１０１の配置を説明する図である。実行裁断線情報生成部１０１は、入力裁断線情報に基づいて、後述するような実行裁断線情報を生成する。また、実行裁断線情報は、裁断動作の実行において使用される。従って、実行裁断線情報生成部１０１は、入力裁断線情報を入力する要素から、実行裁断線情報に基づいて裁断を実行する要素までの間の任意の位置に配置することができる。
【００２３】
上記のような実行裁断線情報生成部１０１は、例えば、図中に点線で示す情報処理装置圏１０５、即ち、情報処理装置１００の内部に配置することもできる。また、図中に一点鎖線で示す裁断装置圏１０７、即ち、裁断装置１４０の内部に配置することもできる。また、情報処理装置圏１０５および裁断装置圏１０７のいずれにも属さない、独立したデバイスとして供給することもできる。また、情報処理装置１００上で実行できるソフトウェアプログラムとして供給して、情報処理装置１００にインストールすることにより実行裁断線情報生成部１０１を形成することもできる。
【００２４】
上記のように配置できる実行裁断線情報生成部１０１には、例えば、修飾成分を格納した格納部１０３が付帯しており、入力された入力裁断線情報に対して修飾成分を付加した実行裁断線情報を出力する。従って、裁断装置１４０においては、修飾成分が付加された実行裁断線情報に基づく裁断線に従って裁断動作が実行される。なお、格納部１０３に格納された修飾成分は、入力裁断線情報に加算するためのデータであってもよいし、入力裁断線情報を処理するための処理手順であってもよい。また、裁断線情報となる線分情報に鎖線等の修飾成分を付加する処理手順としては、例えば特開０７−０４９９５４号公報、特開Ｈ−０８−０２２５４７号公報、特開１１−１８８９２４号公報、特開２０００−１５１９８３号公報等に記載がある。従って、このような処理手順を経て修飾成分の付加された線分を実行裁断線情報として出力することができる。
【００２５】
図６は、裁断線がピンキングラインとなる修飾成分を含む実行裁断線２１７に従って媒体４８０を裁断して作成された簡易ＰＯＰ３１を示す斜視図である。同図に示すように、媒体４８０を裁断した実行裁断線２１７は、全体としては図３に示した入力裁断線に沿った形状を有する。ただし、実行裁断線情報に基づく実行裁断線２１７は、その全長にわたってピンキングラインとなっている。このような形状を有する簡易ＰＯＰ３１では、立ち上がった中心画像２１２周囲の媒体４８０の輪郭が細かく変化するのでその境界が目立たなくなり、中心画像２１２が周辺画像２１４の中に浮き上がって見える効果がより強調される。
【００２６】
このような実行裁断線２１７を規定する実行裁断線情報は、実行裁断線情報生成部１０１において、入力裁断線に対して周期的な変移を含む修飾成分が付加されて生成される。このように、この裁断システム１０では、比較的単純な形状の入力裁断線を作成するだけで波線等の要素を含む実行裁断線情報が生成され、それに従って裁断動作が実行される。
【００２７】
図７は、図６に示した場合とは異なる修飾成分を含む実行裁断線２１８に従って媒体４８０を裁断して作成された簡易ＰＯＰ３２を示す斜視図である。同図に示すように、媒体４８０を裁断した実行裁断線２１８は、全体としては図３に示した入力裁断線に沿った形状を有する。ただし、この実行裁断線情報に基づく実行裁断線２１８は、裁断線の各屈曲部においてその角が面取りされている。従って、立ち上がった中心画像２１２周囲の媒体４８０の輪郭が円滑な曲線を描いている。これにより、立ち上がり部分の角が傷みにくくなると共に、中心画像２１２の周囲に付帯する媒体４８０が目立たなくなる。
【００２８】
このような実行裁断線２１８を規定する実行裁断線情報は、実行裁断線情報生成部１０１において、入力裁断線のベクトルが急峻に変化する部分に対して変化を連続的にする修飾成分を付加して生成される。このように、この裁断システム１０では、比較的単純な多角形の入力裁断線を作成するだけで円滑に連続する曲線状の実行裁断線情報が生成され、それに従って裁断動作が実行される。
【００２９】
図８は、図６および図７に示した場合とは異なる修飾成分を含む実行裁断線２１９に従って裁断した媒体４８２を示す図である。同図に示すように、媒体４８２を裁断した実行裁断線２１９は、全体としては図３に示した入力裁断線に沿った形状を有する。ただし、この実行裁断線情報に基づく実行裁断線２１９は周期的に断続するミシン目となっている。また、図８に示した状態では、ミシン目である実行裁断線２１９がまだ切り離されていないので、当初の媒体４８０と同じシート状の外形を保っている。一方、この実行裁断線２１９により形成されたミシン目を切り離すことにより、図４に示した簡易ＰＯＰ３０と同等の成果物を、切断工具無しに作成できる。
【００３０】
このような実行裁断線２１９を規定する実行裁断線情報は、実行裁断線情報生成部１０１において、入力裁断線が周期的に断続する修飾成分、あるいは、裁断装置１４０における裁断深さが周期的に変化する修飾成分を付加して生成される。このように、この裁断システム１０では、単純な連続線による入力裁断線を作成するだけで、ミシン目を形成する鎖線状の実行裁断線情報が生成され、それに従って裁断動作が実行される。
【００３１】
なお、図示は省略したが、裁断システム１０には、上記のような複数種類の修飾成分から所望の種類の修飾成分を選択する手段を設けることが好ましい。また、付加する修飾成分の変化量、即ち、ピンキングラインにおける線分の折り返し周期、円滑な連続曲線とする場合の最小および最大曲率、ミシン目にする場合の裁断間隔等を調節する手段を設けることも好ましい。
【００３２】
図９は、上記のような裁断システムを形成する場合に使用できる、読取部５０および記録裁断部６０を備えた複合装置４０全体の形態を示す斜視図である。同図に示すように、この複合装置４０は、記録裁断部６０の上に読取部５０を重ねた構造になっている。従って読取部５０から記録裁断部６０への媒体４８０の移動にあたっては、ユーザの手で媒体４８０を移動させなければならない。しかしながら、特定の媒体に対する情報の一部は、読取部５０および記録裁断部６０の間で共有することもできる。
【００３３】
読取部５０は、画像が形成された媒体４８０を載せるための原稿台４１０と、原稿台４１０に載せられた媒体４８０を上方から押さえる原稿押さえ部４２０とを備えている。また、原稿台４１０の中央部の大半は、透明なガラス板４１２により形成されている。
【００３４】
ガラス板４１２の直下には、ガラス板４１２の短辺と略同じ長さを有するラインセンサ４９０が、ガラス板４１２の短辺と平行に配置されている。また、ラインセンサ４９０は、ガラス板４１２の長辺の略全長にわたって往復移動する。従って、原稿台４１０上に載せられたシート状の媒体４８０の下面から、ガラス板４１２を介して画像を読み取ることができる。
【００３５】
なお、複合装置４０の下部に形成される記録裁断部６０については、この図では、後方に配置されたペーパサポート３１０と、手前側に水平に突出し、且つ、昇降するリフトトレイ３６０とが見えている。ペーパサポート３１０は筐体４７０の後方に固定されており、ここに装入された媒体４８０が一枚ずつ、後述する記録部６２に取り込まれる。また、取り込まれた媒体４８０に対して画像が記録された後、上昇位置にあるリフトトレイ３６０上に排出される。
【００３６】
また、複合装置４０の前面には、操作パネル４３０が設けられている。ここには、複合装置４０全体の電源を断続する電源スイッチ、動作状態を表示するディスプレイ等が配置されている。また、操作パネル４３０は、複合装置４０をスタンドアローンの複写機として使用する場合の操作部も兼ねている。なお、この複合装置４０はスタンドアローンの複写機等として使用することもできるが、図１に示したような情報処理装置１００等に接続して、その出力装置（プリンタ）あるいは入力装置（スキャナ）等としても使用できる。
【００３７】
図１０は、図９に示した複合装置４０に実装された記録裁断部６０の構造と動作を示す図である。同図に示すように、記録裁断部６０は、裁断部６４の上に記録部６２を積層して形成されている。なお、同図において、図９と共通の構成要素には同じ参照符号を付して重複する説明を省いた。
【００３８】
記録裁断部６０の前面（図中では左側）には、リフトトレイ３６０が装着されている。リフトトレイ３６０は、その端部に形成されたねじ穴に挿通されたボールねじ３６６により支持されている。また、ボールねじ３６６の下端にはボールねじ駆動部３６４が結合されており、ボールねじ３６６を回転駆動できる。従って、ボールねじ駆動部３６４を適宜動作させることにより、リフトトレイ３６０を、図中に矢印Ｅで示すように、記録部６２の前方と、裁断部６４の前方との間で昇降させることができる。
【００３９】
記録部６２は、後方（図中では右方）に装着されたペーパサポート３１０と、搬送ローラ３４０および搬送従動ローラ３４２を含む記録搬送部３４４と、記録プラテン３５０と、排出従動ローラ３７２を含む記録排出部３７４とが搬送系を形成している。記録媒体としてペーパサポート３１０に装入された媒体４８０は、記録搬送部３４４により１枚ずつ記録プラテン３５０上に送り込まれ、更に、記録排出部３７４により上昇しているリフトトレイ３６０上に送り出される。
【００４０】
記録プラテン３５０の上方には、媒体４８０の搬送方向と直交するように、互いに平行な一対の案内レール３２０、３２２が水平に配置されている。また、案内レール３２０、３２２を自身に挿通され、記録プラテン３５０上で水平に往復移動する記録キャリッジ３３０が配置されている。記録キャリッジ３３０は、図示されていない駆動手段により駆動され、案内レール３２０、３２２に沿って往復移動する。このとき、記録キャリッジ３３０は、一対の案内レール３２０、３２２を挿通されているので、前方または後方に傾くことがない。
【００４１】
また、記録キャリッジ３３０は、上方から搭載されたインクカートリッジ３３２と、下面に懸架された記録ヘッド３３４とを備えている。従って、記録プラテン３５０上方で、媒体４８０に向かってインクを吐出できる。従って、記録キャリッジ３３０の往復移動と記録搬送部３４４による媒体４８０の搬送とを組み合わせることにより、媒体４８０表面の任意の領域にインクを吐出させて画像を記録できる。
【００４２】
裁断部６４は、後方に装着された排出トレイ５１０を備える一方、前面はリフトトレイ３６０に対して開放されている。従って、媒体４８０をリフトトレイ３６０から自身の内部に取り込むことができる。
【００４３】
裁断部６４の前端側には、リフトトレイ３６０から媒体４８０を取り込む裁断搬送部５４４を備えている。裁断搬送部５４４は、搬送ローラ５４０および搬送従動ローラ５４２を有して、これら搬送ローラ５４０および搬送従動ローラ５４２に挟まれた媒体４８０を水平に移動させる。また、裁断部６４の後端側には、排出ローラ３９０および排出従動ローラ３９２を含む裁断排出部３９４が形成されている。
【００４４】
更に、裁断搬送部５４４および裁断排出部３９４の間には、裁断プラテン５５０が配置されている。裁断プラテン５５０は、水平で略平坦な上面を有して、載せられた媒体４８０を下方から支持して、その鉛直方向の位置決めを担う。一方、裁断プラテン５５０の上方には、裁断キャリッジ５３０が配置されている。また、裁断プラテン５５０の上方には、裁断キャリッジ５３０を貫通する一対の案内レール５２０、５２２が配置されている。案内レール５２０、５２２は、媒体４８０の搬送方向と直交する方向に水平に配置され、且つ、互いに平行である。従って、案内レール５２０、５２２に案内された裁断キャリッジ５３０は、媒体４８０上で往復移動する。なお、図中には、この往復移動方向が矢印Ｘにより示されている。
【００４５】
裁断キャリッジ５３０は、図示されていない駆動機構により、その往復移動を駆動されている。また、裁断キャリッジ５３０の下面には、カッタ５３２が装着されている。カッタ５３２は、裁断キャリッジ５３０に対して相対的に上下に移動できる。従って、裁断プラテン５５０上に位置する媒体４８０に向かってカッタ５３２を降下させることにより、カッタ５３２下端を媒体４８０に貫入させることができる。
【００４６】
更に、カッタ５３２を媒体４８０に貫入させた状態で、媒体４８０の搬送および裁断キャリッジ５３０の往復移動を組み合わせて裁断キャリッジ５３０および媒体４８０を相対移動させることにより、任意の形状の裁断線に従って媒体４８０をカッタ５３２で裁断できる。
【００４７】
以上のような構造を有する記録裁断部６０において、当初、ペーパサポート３１０に装入された媒体４８０は、搬送ローラ３４０および搬送従動ローラ３４２に挟まれて、記録プラテン３５０上に送り込まれる。この媒体４８０に対して、記録キャリッジ３３０の下面に装着された記録ヘッド３３４からインクが下方に向かって吐出され、媒体４８０の上面に画像が形成される。
【００４８】
やがて、上面に画像を記録された媒体４８０の先端は記録排出部３７４に到達して、排出ローラ３７０および排出従動ローラ３７２に挟まれて、排出トレイを兼ねたリフトトレイ３６０上に排出される。媒体４８０がリフトトレイ３６０上に完全に排出されると、ボールねじ駆動部３６４により駆動されたボールねじ３６６が回転して、リフトトレイ３６０が降下する。降下したリフトトレイ３６０が裁断搬送部５４４の高さまで降下すると、裁断部６４の搬送ローラ５４０および搬送従動ローラ５４２に挟まれて、媒体４８０は裁断部６４内に取り込まれ、裁断プラテン５５０上に搬送される。
【００４９】
こうして裁断部６４に取り込まれた媒体４８０は、カッタ５３２により裁断され、排出ローラ３９０および排出従動ローラ３９２に挟まれて、排出トレイ５１０上に排出される。これらの記録および裁断を経て排出された媒体４８０は、画像を記録され、且つ、裁断されている。
【００５０】
なお、上記の説明においては、説明の便宜上、リフトトレイ３６０側を裁断搬送部５４４、排出トレイ５１０側を裁断排出部３９４として記載しているが、ひとつの切片を切り出すためには、媒体４８０を少なくとも１往復させなければならない。従って、媒体４８０は、前方のリフトトレイ３６０側に向かっても、後方の排出トレイ５１０側に向かっても搬送され得る。また、最終的に裁断を終えた媒体４８０は、リフトトレイ３６０に排出させても、排出トレイ５１０に排出させても差し支えない。
【００５１】
更に、リフトトレイ３６０を降下させたまま状態で、記録部６２を通さずに、裁断部６４に直接に媒体４８０を装入することもできる。これにより、記録裁断部６０を、単なる裁断部６４として利用することもできる。
【００５２】
このような複合装置４０は、図１に示した裁断システム１０において、イメージスキャナ装置１２０、プリンタ装置１３０および裁断装置１４０の３台と代替させて、同等の機能を果たすことができる。従って、情報処理装置１００に複合装置４０を加えることにより、裁断システムを簡潔に形成できる。
【００５３】
以上説明したように、この裁断システム１０では、入力裁断線情報として裁断線の概要を作成すれば、波線等の詳細な要素は修飾成分として付加することができる。従って、細かく変移する成分を含む複雑な実行裁断線情報を短時間で容易に作成することができる。
【００５４】
ここまで本発明を実施の形態を用いて説明したが、本発明の技術的範囲は上記実施の形態に記載の範囲には限定されない。上記実施の形態に、多様な変更または改良を加え得ることは当業者に明らかである。その様な変更または改良を加えた形態が本発明の技術的範囲に含まれ得ることは、特許請求の範囲の記載から明らかである。
【図面の簡単な説明】
【００５５】
【図１】裁断線情報の生成方法を実施できる裁断システム１０の形成例を示す図。
【図２】画像を有する媒体４８０の裁断前の状態を示す図。
【図３】入力裁断線情報の規定する入力裁断線２１６を媒体４８０上に示す図。
【図４】入力裁断線情報に従って裁断して得られる簡易ＰＯＰ３０を示す図。
【図５】実行裁断線情報生成部１０１の配置を説明する図。
【図６】実行裁断線情報に従って裁断して得られる簡易ＰＯＰ３１を示す図。
【図７】他の実行裁断線情報に従って裁断して得られる簡易ＰＯＰ３２を示す図。
【図８】他の実行裁断線情報に従って裁断して得られるミシン目入りの媒体４８２を示す図。
【図９】記録裁断部６０を備えた複合装置４０の全体形状を示す斜視図。
【図１０】記録裁断部６０を抜き出してその構造を模式的に示す断面図。
【符号の説明】
【００５６】
１０  裁断システム、３０、３１、３２、３３  簡易ＰＯＰ、４０  複合装置、６０  記録裁断部、６２  記録部、６４  裁断部、１００  情報処理装置、１０１  実行裁断線情報生成部、１０２  キーボード、１０３  格納部、１０４  マウス、１０５  情報処理装置圏、１０６  ディスクドライブ、１０７  裁断装置圏、１１０  ディスプレイ装置、１２０  イメージスキャナ装置、１３０  プリンタ装置、１４０  裁断装置、２０２  折線、２１２  中心画像、２１４  周辺画像、２１６  入力裁断線、２１７、２１８、２１９  実行裁断線、３１０  ペーパサポート、３２０、３２２、５２０、５２２  案内レール、３３０  記録キャリッジ、３３２  インクカートリッジ、３３４  記録ヘッド、３４０、５４０  搬送ローラ、３４２、５４２  搬送従動ローラ、３４４  記録搬送部、３５０  記録プラテン、３６０  リフトトレイ、３６４  ボールねじ駆動部、３６６  ボールねじ、３７０、３９０  排出ローラ、３７２、３９２  排出従動ローラ、３７４  記録排出部、３９４  裁断排出部、４１０  原稿台、４１２  ガラス板、４２０  原稿押さえ部、４３０  操作パネル、４７０  筐体、４８０、４８２  媒体、５１０  排出トレイ、５３０  裁断キャリッジ、５３２  カッタ、５４４  裁断搬送部、５５０  裁断プラテン
【図１】
2007160463.tif 000003
【図２】
2007160463.tif 000004
【図３】
2007160463.tif 000005
【図４】
2007160463.tif 000006
【図５】
2007160463.tif 000007
【図６】
2007160463.tif 000008
【図７】
2007160463.tif 000009
【図８】
2007160463.tif 000010
【図９】
2007160463.tif 000011
【図１０】
2007160463.tif 000012